【手続補正書】
【提出日】平成17年9月28日(2005.9.28)
【手続補正１】
【補正対象書類名】明細書
【補正対象項目名】全文
【補正方法】変更
【補正の内容】
【書類名】        明細書
【発明の名称】    遊技情報表示装置
【特許請求の範囲】
【請求項１】
遊技情報を、逐次、記憶装置に記憶する機能と、
特定の遊技情報の変化に伴った前記特定の遊技情報のビジュアル画像連続表示要求信号を検出したら、記憶装置に記憶した遊技情報を読み出す機能と、
読み出した遊技情報に基づいて、前記特定の遊技情報のビジュアル画像表示情報を作成する機能と、
前記特定の遊技情報の変化に伴って前記ビジュアル画像表示情報を連続表示することで前記特定の遊技情報の変化に伴った前記特定の遊技情報の推移を動画表示する機能と、
を備えた遊技情報表示装置。
【請求項２】
遊技情報を、逐次、記憶装置に記憶する機能と、
所定のタイミング毎に、記憶装置に記憶した遊技情報に基づいて、特定の遊技情報の変化に伴ったビジュアル画像表示情報を作成する機能と、
前記特定の遊技情報の変化に伴った前記特定の遊技情報のビジュアル画像連続表示要求信号を検出したら、作成した複数のビジュアル画像表示情報を読み出す機能と、
読み出した複数のビジュアル画像表示情報に基づいて、前記特定の遊技情報の変化に伴った前記特定の遊技情報のビジュアル画像連続表示情報を作成してビジュアル画像表示情報を連続表示することで前記特定の遊技情報の変化に伴った前記特定の遊技情報の推移を動画表示する機能と、
を備えた遊技情報表示装置。
【請求項３】
請求項１又は２のいずれかに記載の遊技情報表示装置であって、
記憶装置には、遊技場内の各遊技機の位置情報に基づいた遊技情報が記憶されていて、前記ビジュアル画像連続表示情報は各遊技機の位置情報に基づく遊技機配置マップ画面上で遊技情報を表示する情報であることを特徴とする、
遊技情報表示装置。
【請求項４】
遊技情報を、逐次、記憶装置に記憶する機能と、
所定の種類の遊技情報において、予め設定した複数の範囲に分割した各レベルに推移するレベル変化に伴った遊技情報のビジュアル画像連続表示要求信号を検出したら、記憶装置に記憶した遊技情報を読み出す機能と、
読み出した遊技情報に基づいて、所定の種類の遊技情報のレベル変化に対応する遊技情報のビジュアル画像表示情報を作成する機能と、
所定の種類の遊技情報のレベル変化に伴って前記ビジュアル画像表示情報を連続表示することで所定の種類の遊技情報のレベル変化に伴った遊技情報の推移を動画表示する機能と、
を備えた遊技情報表示装置。
【発明の詳細な説明】
【０００１】
【発明の属する技術分野】
本発明は、遊技情報表示装置に関する。
【０００２】
【従来の技術】
従来より、遊技場（例えば、パチンコ店）では、遊技機側からホールコンピュータに各種遊技情報（例えば、アウト数やセーフ数）が送信されている。ホールコンピュータは、遊技情報に基づいて、遊技場の本部や事務所等に設置されている表示装置に、遊技場内の遊技機の状況等を確認するためのモニタ画面を表示する。モニタ画面では、例えば、遊技場内の遊技機の配置を示すマップ画面を表示し、マップ画面中に表示されているいずれかの遊技機のアイコンを表示を選択すると、選択された遊技機に関する遊技情報が表示される。
【０００３】
【特許文献１】
特開２０００−１２６４３１号公報
【０００４】
【発明が解決しようとする課題】
従来では、マップ画面中の所定の遊技機のアイコンを選択することで表示される遊技情報は、その時点における遊技情報であり、時間（特定のパラメータ）の変化に伴った推移を示すものではなかった。また、遊技情報はマップ画面中に表示されるものではなく、マップ画面から所定の遊技機を選択することで、選択した遊技機に対応する遊技情報が表示されていた。このため、遊技場内の複数の遊技機の遊技情報を一見して把握できるものではなかった。
そこで、本発明は、特定のパラメータの変化に伴った遊技情報の推移を、容易に把握することができる遊技情報表示装置を提供することを課題とする。
【０００５】
【課題を解決するための手段】
上記課題を解決するための手段として、本発明の第１発明は、請求項１に記載されたとおりの遊技情報表示装置である。
請求項１に記載の遊技情報表示装置では、遊技情報を、逐次、記憶装置に記憶する機能と、特定の遊技情報の変化に伴った前記特定の遊技情報のビジュアル画像連続表示要求信号を検出したら、記憶装置に記憶した遊技情報を読み出す機能と、読み出した遊技情報に基づいて、前記特定の遊技情報のビジュアル画像表示情報を作成する機能と、前記特定の遊技情報の変化に伴って前記ビジュアル画像表示情報を連続表示することで前記特定の遊技情報の変化に伴った前記特定の遊技情報の推移を動画表示する機能とを備えている。
また、本発明の第２発明は、請求項２に記載されたとおりの遊技情報表示装置である。
請求項２に記載の遊技情報表示装置では、遊技情報を、逐次、記憶装置に記憶する機能と、所定のタイミング毎に、記憶装置に記憶した遊技情報に基づいて、特定の遊技情報の変化に伴ったビジュアル画像表示情報を作成する機能と、前記特定の遊技情報の変化に伴った前記特定の遊技情報のビジュアル画像連続表示要求信号を検出したら、作成した複数のビジュアル画像表示情報を読み出す機能と、読み出した複数のビジュアル画像表示情報に基づいて、前記特定の遊技情報の変化に伴った前記特定の遊技情報のビジュアル画像連続表示情報を作成してビジュアル画像表示情報を連続表示することで前記特定の遊技情報の変化に伴った前記特定の遊技情報の推移を動画表示する機能とを備えている。
ここで、特定のパラメータとは、例えば、時間、特定の遊技情報（特賞回数、差玉、セーフ数、確変回数、特賞状態等）である。
また、「ビジュアル画像」とは、例えば、遊技場の遊技機の配置マップ上で遊技情報が色彩、明度等の区別で表現されていたり、棒グラフ上で表現されていたり、使用者の視覚に訴える画像を総合的に示す。
また、請求項２中の、「ビジュアル画像連続表示情報」は、「複数のビジュアル画像情報」と同じでもよい。すなわち、複数のビジュアル画像表示情報を読み出したら、複数のビジュアル画像表示情報を連続表示することで特定の遊技情報の変化に伴った前記特定の遊技情報の推移を動画表示するようにしてもよい。
請求項１及び２に記載の遊技情報表示装置によれば、特定の遊技情報の変化に伴った前記特定の遊技情報の推移を、容易に把握することができる。
【０００６】
また、本発明の第３発明は、請求項３に記載されたとおりの遊技情報表示装置である。
請求項３に記載の遊技情報表示装置では、記憶装置には、遊技場内の各遊技機の位置情報に基づいた遊技情報が記憶されていて、前記ビジュアル画像連続表示情報は各遊技機の位置情報に基づく遊技機配置マップ画面上で遊技情報を表示する情報であることを特徴とする。
請求項３に記載の遊技情報表示装置によれば、特定の遊技情報の変化に伴った前記特定の遊技情報の推移を、容易に把握することができる。また、遊技機配置マップ画面上で、遊技場内の遊技機全部の遊技情報の推移が動画表示がされるので分かり易い。
【０００７】
また、本発明の第４発明は、請求項４に記載されたとおりの遊技情報表示装置である。
請求項４に記載の遊技情報表示装置では、遊技情報を、逐次、記憶装置に記憶する機能と、所定の種類の遊技情報において、予め設定した複数の範囲に分割した各レベルに推移するレベル変化に伴った遊技情報のビジュアル画像連続表示要求信号を検出したら、記憶装置に記憶した遊技情報を読み出す機能と、読み出した遊技情報に基づいて、所定の種類の遊技情報のレベル変化に対応する遊技情報のビジュアル画像表示情報を作成する機能と、所定の種類の遊技情報のレベル変化に伴って前記ビジュアル画像表示情報を連続表示することで所定の種類の遊技情報のレベル変化に伴った遊技情報の推移を動画表示する機能とを備えている。
請求項４に記載の遊技情報表示装置によれば、所定の種類の遊技情報のレベル変化に伴った遊技情報の推移を、容易に把握することができる。
【０００８】
【発明の実施の形態】
本実施の形態では、本発明の遊技情報表示装置を、遊技場、例えば、パチンコ店に適用した場合について説明する。
まず、本実施の形態の構成を図１〜図３を用いて説明する。
遊技場には、図１に示すように、島毎に複数の遊技機（パチンコ機）５０が配設されている。各遊技機５０には、各遊技機５０に対応する遊技機管理ユニット２２及び遊技機表示装置３０及び台端末装置４０が設けられている。各遊技機５０に設けられた遊技機管理ユニット２２は、島毎に島管理ユニット２０に接続されている。そして、各島の島管理ユニット２０、各遊技機５０に対応する台端末装置４０、遊技場の本部や事務所等に設置されている表示端末装置６０は管理装置（ホールコンピュータ）１０に接続されている。
【０００９】
遊技機表示装置３０は、表示手段を備えていて、遊技機５０の遊技機情報（入賞回数、大当り回数等）を検出して表示する。
遊技機管理ユニット２２は、遊技機ＩＤ（台番号等）とともに遊技機５０の遊技情報、例えば、所定時間毎（１分毎等）の、セーフ数（遊技媒体の払出数）、アウト数（遊技媒体の投入数）、特賞回数（入賞して特賞を引き当てた回数）等を、島管理ユニット２０を介して管理装置１０に送信する。
台端末装置４０には、会員識別情報受付手段４２が設けられている。そして、台端末装置４０は、会員識別情報受付手段４２に挿入された会員カードから会員ＩＤを読み取り、読み取った会員ＩＤを管理装置１０に送信する。また、台端末装置４０には、プリペイドカード受付口４３が設けられている。そして、台端末装置４０は、プリペイドカード受付口４３に挿入されたプリペイドカードの利用度数に基づいた使用金額の情報等を管理装置１０に送信する。
管理装置１０には、本体部１２と、表示手段１４と、キーボード等の入力手段１３が設けられている。また、本体部１２の内部には、ＲＡＭやＲＯＭ等で構成された記憶手段（記憶装置）１２ａが設けられている。なお、記憶手段１２ａは、管理装置１０からアクセス可能であれば、どこに配置されていてもよい。
表示端末装置６０には、例えば、タッチパネルを備えた表示手段６１が設けられている。
本発明の遊技情報表示装置は、本実施の形態では、管理装置１０、及び表示端末装置６０に相当する。
【００１０】
管理装置１０の記憶手段１２ａに記憶されている遊技関連情報には、遊技機ＩＤ毎の「遊技機情報」と、会員ＩＤ毎の「遊技者情報」が含まれている。いずれも、遊技機管理ユニット２２から島管理ユニット２０を介して送信された各遊技機の遊技情報や、台端末装置４０から送信された会員ＩＤや、予め管理装置１０に入力されている会員の個人データ等に基づいて、管理装置１０が記憶手段１２ａに記憶させている。
ここで、「遊技機情報」について説明する。
例えば、「遊技機情報」は、図２の（Ａ）〜（Ｃ）で示す３種類の情報を有している。
まず、図２の（Ａ）に示す遊技機情報１６ａでは、遊技機ＩＤに対応させて、年月日、時間、会員ＩＤが記憶されている。これにより、「年月日」及び「時間」で示される時点において、「どの遊技機」で、「どの会員が」遊技していたか、を特定することができる。例えば、図２の（Ａ）に示す例では、２００２年５月１日の１０時１０分の時点では、遊技機ＩＤ：Ａ−００１の遊技機で遊技していた遊技者は、会員ＩＤ：００１に対応する遊技者であったことが判る。
【００１１】
また、図２の（Ｂ）に示す遊技機情報１６ｂでは、遊技機ＩＤに対応させて、年月日、計測時間（開始及び終了）、アウト数（投入された遊技媒体の数）、セーフ数（入賞して払出された遊技媒体の数等）、始動回数（入賞した回数等）、特賞回数（入賞して特賞を引き当てた回数等）が記憶されている。これにより、「年月日」及び「計測時間」で示される時点において、「どの遊技機」が、「どのような遊技状態」であったか、を特定することができる。例えば、図２の（Ｂ）に示す例では、２００２年５月１日の１０時１０分から１０時２０分の時点では、遊技機ＩＤ：Ａ−００１の遊技機は、アウト数：５５０、セーフ数：４５０、始動回数３０、特賞回数：０、であったことが判る。
【００１２】
また、図２の（Ｃ）に示す遊技機情報１６ｃでは、例えば、遊技機ＩＤに対応させて、年月日、時間、使用金額（プリペイドカードの利用度数等に基づいた使用金額等）が記憶されている。これにより、「年月日」及び「時間」で示される時点において、「どの遊技機」が、「いくらの使用金額」であったか、を特定することができる。例えば、図２の（Ｃ）に示す例では、２００２年５月１日の１０時１１分の時点で、遊技機ＩＤ：Ａ−００１の遊技機で、使用金額：５０００、であったことが判る。
【００１３】
次に、「遊技者情報」について説明する。
例えば、「遊技者情報」は、図３の（Ｄ）〜（Ｆ）で示す３種類の情報を有している。
まず、図３の（Ｄ）に示す遊技者情報１８ａでは、会員ＩＤに対応させて、氏名、住所、性別、生年月日、年齢、が記憶されている。
また、図３の（Ｅ）に示す遊技者情報１８ｂでは、過去１ヵ月分の各会員の当該遊技場の利用情報が記憶されていて、会員ＩＤに対応させて、利用日、使用金額、アウト数、セーフ数、始動回数、特賞回数が記憶されている。
また、図３の（Ｆ）に示す遊技者情報１８ｃでは、例えば、各会員の最新利用日、及び各利用情報の累積値が記憶されており、会員ＩＤに対応させて、最新利用日、利用回数、使用金額、アウト数、セーフ数、始動回数、特賞回数が記憶されている。
【００１４】
次に、本実施の形態の動作を説明する。
◆遊技機の稼動状態の推移を動画表示（パラメータ；時間）
まず、表示端末装置６０で、遊技情報を動画表示するためのメニューを選択する。
すると、表示端末装置６０の表示手段には、図４の（Ｇ）に示すような「動画表示メニュー画面」６１が表示される。「動画表示メニュー画面」６１には、例えば、“動画表示するメニューを選択して下さい”というコメントが表示されたコメント欄６１ａと、表示端末装置６０の使用者が選択する表示メニュー欄６１ｂと、「動画表示メニュー画面」６１で選択された事を入力するための決定キー６１ｃとが設けられている。
使用者は、表示メニュー欄６１ｂの“遊技機の稼動状態”と表示されている部分にタッチして選択する。そして、決定キー６１ｃを操作する（タッチする）。
【００１５】
すると、表示端末装置６０の表示手段には、図４の（Ｈ）に示すような「設定画面」６２が表示される。「設定画面」６２には、例えば、“設定して下さい”というコメントが表示されたコメント欄６２ａと、使用者が設定する指定期間設定欄６２ｂ及びサンプル間隔設定欄６２ｃと、「メニュー画面」に戻るためのキー６２ｄと、詳細な設定を行うためのキー６２ｅと、「設定画面」で選択された事を入力するための決定キー６２ｆとが設けられている。
使用者は、指定期間設定欄６２ｂに、“いつからいつまでの”遊技機の稼動状態を動画表示するかを設定し、サンプル間隔（動画表示する際に、何分おきの遊技情報をサンプリングするか。）を選択する。そして、決定キー６２ｆを操作する。
ここで、例えば、指定期間設定欄６２ｂで時間指定をしないと、自動的に、設定した日の開店時間〜閉店時間が設定される。設定した日が当日であれば、開店時間〜現在までが設定される。また、キー６２ｅを操作した後に行う詳細な設定では、例えば、動画表示の際の表示の色やパターン等の表示態様、文字の形式等を設定できる。
【００１６】
「設定画面」６２で所定の設定が終了し、決定キー６２ｆが操作されたら、図４の（Ｉ）に示すような「スタート画面」６３が表示される。「スタート画面」６３には、例えば、“２００２年９月９日開店〜閉店の遊技機の稼動状態を動画表示します。
スタートキーをタッチして下さい”というコメントが表示されたコメント欄６３ａと、動画表示をスタートするスタートキー６３ｃと、「メニュー画面」６１に戻るキー６３ｄと、キャンセルキー６３ｅとが設けられている。
使用者は、このままの設定でよければ、スタートキー６３ｃをタッチする（請求項中の「特定のパラメータの変化に伴った遊技情報のビジュアル画像連続表示要求信号」を、管理装置１０に送信する。）。設定し直す場合には、キー６３ｄにタッチして「メニュー画面」６１に戻る。
「スタート画面」６３でスタートキー６３ｃが操作されると、図５に示すような遊技場内の遊技機の配置を示した「マップ画面」上に遊技機の稼動状態の推移を動画表示する。
これにより、「マップ画面」上での遊技機の稼動状態の、時間の経緯に伴った推移を容易に確認することができる。例えば、“１２時、及び１８時前後では、遊技機の稼働率が低くなる。”、“開店してすぐは、遊技場の入り口近くの遊技機の稼働率が高いが、閉店間際では入り口から遠い遊技機の稼働率が高い。”等が分かり易い。
【００１７】
次に、“遊技機の稼動状態の推移（パラメータ；時間）の動画表示”をするための管理装置１０の処理手順について、図６に示すフローチャート図を用いて説明する。この処理手順は、管理装置１０のＣＰＵが、予め記憶手段１２ａのＲＯＭ等に記憶されているプログラムを読み出して実行する。
まず、ステップＳ１０で、サンプリング日時（Ｓ）に、図４のＨで示す「設定画面」６２で設定された“指定期間”の開始時間を設定する。そして、ステップＳ１２に進む。
ステップＳ１２では、サンプリング日時（Ｓ）（例えば、２００２年９月９日１０時）において、稼動している遊技機の遊技機ＩＤを判別する。
例えば、図２の（Ａ）に示す遊技機情報１６ａを記憶手段１２ａから読み出し、サンプリング日時（Ｓ）において、稼動している遊技機の遊技機ＩＤを判別する。そして、ステップＳ１４に進む。
ステップＳ１４では、マップ画面上に、ステップＳ１２で稼動していることを判別した遊技機ＩＤに対応する遊技機のアイコン表示を識別可能に表示する。
例えば、図５に示すように、稼動している遊技機のアイコン表示のみを薄墨色で表示する（「ビジュアル画像」を表示する）。そして、ステップＳ１６に進む。
ステップＳ１６では、サンプリング日時（Ｓ）に図４のＨで示す「設定画面」６２で設定された“サンプリング間隔”の時間（例えば、５分）を加算する。そして、ステップＳ１８に進む。
ステップＳ１８では、サンプリング日時（Ｓ）は、図４のＨで示す「設定画面」６２で設定された終了日時に達しているか否かを判別する。終了日時に達していれば、リターンする。終了日時に達していなければ、ステップＳ１２に戻る。
このようにして、予め設定された開始日時から終了日時までの遊技機関連情報を設定されたサンプリング間隔でサンプリングし、各遊技機が稼動しているか否かを判別する。そして、その結果を表示端末装置６０に、時間の経過とともに（時間の経過を特定のパラメータの変化として）連続的に動画表示させる。
なお、請求項中の「記憶装置に記憶した遊技情報を読み出す機能」、及び「読み出した遊技情報に基づいて、特定のパラメータの変化に伴った遊技情報のビジュアル画像連続表示情報を作成してビジュアル画像を連続表示することで特定のパラメータの変化に伴った遊技情報の推移を動画表示する機能」は、ステップＳ１２〜Ｓ１８に相当する。
また、ビジュアル画像を表示するための情報（ビジュアル画像表示情報）を、所定の時間間隔で予め作成しておいて記憶させておき、特定のパラメータの変化に伴ったビジュアル画像連続表示要求信号を検出したら、指定された期間のビジュアル画像を読み出し、連続表示させてもよい。これによれば、特定のパラメータの変化に伴ったビジュアル画像連続表示要求信号を検出してからの処理時間を短縮できるので、特定のパラメータの変化に伴った遊技情報の推移を迅速に動画表示することができる。
【００１８】
◆年代別遊技者の推移を動画表示（パラメータ；時間）
年代別遊技者の推移を動画表示する場合には、「動画表示メニュー画面」６１で、表示メニュー欄６１ｂの“年代別遊技者”と表示されている部分にタッチして選択する。そして、決定キー６１ｃを操作する（タッチする）。
そして、「設定画面」６２で指定期間及びサンプリング間隔を設定して、決定キー６２ｆを操作する。
すると、例えば、“２００２年９月９日開店〜閉店の年代別遊技者を動画表示します。  スタートキーをタッチして下さい”というコメントが表示された「スタート画面」が表示される。そこで、「スタート画面」のスタートキーを操作する。
すると、図７に示すように、横軸に年代、縦軸に人数を示す棒グラフが表示され、２００２年９月９日開店時間から閉店時間の年代別遊技者の人数の推移を動画表示する。
これにより、年代別遊技者の、時間の経緯に伴った人数の推移を容易に確認することができる。
ここでは、年代別遊技者の人数の推移を動画表示したが、年代別及び男女別遊技者の人数の推移を動画表示してもよい。また、住んでいる地域別の遊技者の人数の推移を動画表示してもよい。
【００１９】
“年代別遊技者（会員）の推移（パラメータ；時間）の動画表示”をするための管理装置１０の処理手順は、図６のフローチャート図（遊技機の稼動状態の推移を動画表示する処理手順を示す）で示す処理手順とステップＳ１０は同様である。
ステップＳ１２で、サンプリング日時（Ｓ）（例えば、２００２年９月９日１０時）において、遊技している会員の年代別人数を計数する。
例えば、図２の（Ａ）に示す遊技機情報１６ａと、図３の（Ｄ）に示す遊技者情報１８ａを記憶手段１２ａから読み出し、サンプリング日時（Ｓ）において、遊技している会員の年代別人数を計数する。そして、ステップＳ１４に進む。
ステップＳ１４では、横軸に年代、縦軸に人数を示す棒グラフを表示する。例えば、図７に示すように、棒グラフで表示する（ビジュアル画像を表示する）。そして、ステップＳ１６に進む。
以降、ステップＳ１６，Ｓ１８は図６のフローチャート図で示す処理手順と同様である。
このようにして、予め設定された開始日時から終了日時までの遊技機関連情報を、設定されたサンプリング間隔でサンプリングし、年代別遊技者（会員）の人数を計数する。そして、その結果を表示端末装置６０に、時間の経過とともに（時間の経過を特定のパラメータの変化として）連続的に動画表示させる。
【００２０】
◆遊技機の所定時間内の特賞回数の推移を動画表示（パラメータ；時間）
遊技機の所定時間（例えば、３０分）内の特賞回数の推移を動画表示する場合には、「動画表示メニュー画面」６１で、表示メニュー欄６１ｂの“遊技機の特賞回数”と表示されている部分にタッチして選択する。そして、決定キー６１ｃを操作する。
そして、「設定画面」６２で指定期間及びサンプル間隔（特賞回数をカウントする単位時間（所定時間））を設定して、決定キー６２ｆを操作する。
すると、例えば、“２００２年９月９日開店〜閉店の３０分間隔の特賞回数の推移を動画表示します。  スタートキーをタッチして下さい”というコメントが表示された「スタート画面」が表示される。そこで、「スタート画面」のスタートキーを操作する。
すると、図８に示すように、遊技場内の遊技機の配置を示した「マップ画面」上で、２００２年９月９日開店時間から閉店時間の各遊技機の所定時間内（３０分間隔）の特賞回数の推移を動画表示する。ここで、例えば、図８において、遊技機のアイコン表示が白い部分は、所定時間内に１回も特賞状態にならなかった遊技機を示す。薄墨部分は、所定時間内に１回特賞状態となった遊技機を示す。また、濃墨部分は、所定時間内に２回以上特賞状態となった遊技機を示す。
これにより、「マップ画面」上での遊技機の特賞回数（所定時間内、例えば、３０分以内）の時間の経緯に伴った推移を容易に確認することができる。
ここでは、遊技機のアイコン表示の濃淡で特賞状態の回数を区別したが、アイコン表示の形状を変えてもよい。また、特賞状態を３０分以内に、０回の場合、１回の場合、２回以上の場合で判別しているが、その他の判別基準でもよい。
また、特賞回数ではなく、差玉、持ち玉数等の推移を動画表示してもよい。持ち玉数の場合、例えば、持ち玉の数が大きくなる毎に遊技機アイコン表示の色や濃淡を変化させてもよい。また、各遊技機のアイコン表示毎に玉箱を表示して、持ち玉の数が大きくなる毎に玉箱の数を増やす表示をしてもよい。この場合、３Ｄディスプレーを用いて３Ｄ表示をすると、玉箱が積みあがった状態が立体的に見えて、利用者の興趣が高まる。
また、画面を分割して、複数の遊技情報のパラメータ（例えば、特賞状態と、差玉）を同時に表示させれば、遊技情報間の関連を容易に確認することができる。
【００２１】
“遊技機の所定時間内の特賞回数の推移（パラメータ；時間）の動画表示”をするための管理装置１０の処理手順は、図６のフローチャート図（遊技機の稼動状態の推移を動画表示する処理手順を示す）で示す処理手順と、ステップＳ１０は同様である。
ステップＳ１２で、サンプリング日時（Ｓ）（例えば、２００２年９月９日１０時）において、直前の３０分間の各遊技機の特賞回数を計数する。
例えば、図２の（Ｂ）に示す遊技機情報１６ｂを記憶手段１２ａから読み出し、サンプリング日時（Ｓ）直前の３０分での各遊技機の特賞回数を計数する。そして、ステップＳ１４に進む。
ステップＳ１４では、マップ画面上に、ステップＳ１２で計数した各遊技機の特賞回数を遊技機のアイコン表示で識別可能に表示する。
例えば、図８に示すように、直前の３０分以内に１回も特賞状態にならなかった遊技機のアイコン表示を白色で、１回特賞状態となった遊技機のアイコン表示を薄墨色で、２回以上特賞状態となった遊技機のアイコン表示を濃墨色で表示する。そして、ステップＳ１６に進む。
以降、ステップＳ１６，Ｓ１８は図６のフローチャート図で示す処理手順と同様である。
このようにして、予め設定された開始日時から終了日時までの遊技機関連情報を、設定されたサンプリング間隔でサンプリングし、各遊技機の直前３０分間の特賞回数を計数する。そして、その結果を表示端末装置６０に、時間の経過とともに（時間の経過を特定のパラメータの変化として）連続的に動画表示させる。
【００２２】
◆会員の遊技機利用状況の推移を動画表示（パラメータ；時間）
会員の遊技機利用状況の推移を動画表示する場合には、「動画表示メニュー画面」６１で、表示メニュー欄６１ｂの“会員の遊技機利用状況”と表示されている部分にタッチして選択する。そして、決定キー６１ｃを操作する。
そして、「設定画面」６２で指定期間及びサンプル間隔を設定して、決定キー６２ｆを操作する。
すると、例えば、“２００２年９月９日開店〜閉店の会員の遊技機利用状況の推移を動画表示します。スタートキーをタッチして下さい”というコメントが表示された「スタート画面」が表示される。そこで、「スタート画面」のスタートキーを操作する。
すると、図９に示すように、遊技場内の遊技機の配置を示した「マップ画面」上に会員の遊技機利用状況の推移を動画表示する。図９において、薄墨部分が利用されている遊技機であり、近傍に表示されている“ＩＤ；○○○”が当該遊技機で遊技をしている会員の会員ＩＤである。
ここでは、遊技場内の遊技機全部で遊技している会員についてその動向が分かるようにしたが、例えば、１人の会員についてその動向が分かるようにしてもよい。これによれば、当該会員の動線が分かり易く、当該会員の行動パターンを容易に把握することができる。また、数人の会員別の動画表示を１つの画面を分割して表示してもよい。
【００２３】
“会員の遊技機利用状況の推移（パラメータ；時間）の動画表示”をするためのするための管理装置１０の処理手順は、図６のフローチャート図（遊技機の稼動状態の推移を動画表示する処理手順を示す）で示す処理手順と、ステップＳ１０は同様である。
ステップＳ１２で、サンプリング日時（Ｓ）（例えば、２００２年９月９日１０時）において、稼動している遊技機の遊技機ＩＤと、当該遊技機で遊技をしている会員の会員ＩＤを判別する。
例えば、図２の（Ａ）に示す遊技機情報１６ａを記憶手段１２ａから読み出し、サンプリング日時（Ｓ）において、稼動している遊技機の遊技機ＩＤと、当該遊技機で遊技をしている会員の会員ＩＤを判別する。そして、ステップＳ１４に進む。
ステップＳ１４では、マップ画面上に、ステップＳ１２で稼動していることを判別した遊技機ＩＤに対応する遊技機のアイコン表示を識別可能に表示し、その近傍等に当該遊技機で遊技している会員の会員ＩＤを表示する。
例えば、図９に示すように、稼動している遊技機のアイコン表示のみを薄墨色で表示する。ステップＳ１６に進む。
以降、ステップＳ１６，Ｓ１８は図６のフローチャート図で示す処理手順と同様である。
このようにして、予め設定された開始日時から終了日時までの遊技機関連情報を、設定されたサンプリング間隔でサンプリングし、各遊技機が稼動しているか否かを判別する。また、当該遊技機で遊技している会員の会員ＩＤを判別する。そして、その結果を表示端末装置６０に、時間の経過とともに（時間の経過を特定のパラメータの変化として）連続的に動画表示させる。
【００２４】
◆遊技機の所定時間内の特賞回数の推移を動画表示（所定の遊技情報のレベル変化；特賞回数のレベル変化）
以上、“特定のパラメータの変化”が、時間の経過である場合について説明したが、パラメータの変化が時間の経過ではなくてもよい。例えば、設定した日の遊技機の特賞回数を、特賞回数の段階毎に動画表示してもよい。
この場合、例えば、図１０に示すように、遊技場内の遊技機の配置を示した「マップ画面」上で各遊技機の設定した日の特賞回数の推移を、特賞回数をパラメータとして動画表示する（所定の種類の遊技情報のレベル変化に伴った遊技情報の推移を動画表示する）。例えば、設定した日の特賞回数が０回〜５回の遊技機を薄墨部分で示す「マップ画面」、６回〜１０回の遊技機を薄墨部分で示す「マップ画面」、１１回〜１５回の遊技機を薄墨部分で示す「マップ画面」等を連続して動画表示する。
このような動画表示を実行するための「設定画面」の表示方法、選択方法、遊技機関連情報による特賞回数の計数方法等は任意である。
【００２５】
本発明の遊技情報表示装置は、本実施の形態で説明した構成、外観、接続、用途、動作等に限定されず、本発明の要旨を変更しない範囲で種々の変更、追加、削除が可能である。
本実施の形態で説明した処理手順等において、図６に示したフローチャートは一例であり、本フローチャートの処理手順等に限定されるものではない。
また、以上（≧）等は、等号を含んでも含まなくてもよい。
また、本実施の形態の説明に用いた数値は一例であり、この数値に限定されるものではない。
本実施の形態では、表示端末装置６０を管理装置１０とは別に設けて、表示端末装置６０の表示手段に、所定の遊技情報を動画表示したが、管理装置１０の表示手段１４に表示させてもよい。すなわち、表示端末装置６０は、なくてもよい。これによれば、省スペース化がはかれる。
また、遊技機表示装置３０に表示させてもよい。この場合は、遊技者が動画表示を見るので、遊技機表示装置３０の画面は、「マップ画面」等が見易い程度の大きさと位置であることが望ましい。これによれば、遊技者が、動画表示を見ることができるので、遊技者が遊技場の状況等を把握し易い。
また、ビジュアル画像の連続表示によって、遊技情報の推移を３Ｄ立体動画表示してもよい。立体動画表示によれば、例えば、遊技機の位置と、時間の経過と、遊技情報の推移等、３種類以上の変数を１つの画面で表示することができる。これによれば、使用者は、特定のパラメータの変化に伴った遊技情報の推移を、一層容易に視覚的に把握することができる。
また、遊技機配置マップ画面は、遊技機の機種毎に区別できるようになっていてもよい。これによれば、遊技機の機種による遊技情報の推移の傾向が分かり易い。
また、メニュー画面で、遊技機は位置マップ画面を表示して、使用者が選択した遊技機、もしくは選択した機種の遊技機に関してのみ、遊技情報の推移を動画表示するようにしてもよい。これによれば、選択した遊技機、もしくは選択した機種の遊技機に関する遊技情報のみが表示されるので、必要な情報だけが見易い。
また、本実施の形態では、使用者が、図４の（Ｈ）に示す「設定画面」６２で設定したサンプル間隔（例えば、５分）で遊技情報をサンプリングして、ビジュアル画像表示情報を作成したが、ビジュアル画像表示情報を作成する際の遊技情報のサンプル間隔、また、記憶装置に記憶される遊技情報のサンプル間隔は任意である。例えば、遊技情報は１分毎にサンプリングされて記憶装置に記憶されていて、５分毎のビジュアル画像表示情報を作成する際には、１分毎の遊技情報から５分毎の遊技情報を抽出してビジュアル画像表示情報を作成してもよい。また、遊技情報は１０分毎にサンプリングされて記憶装置に記憶されていて、５分毎のビジュアル画像表示情報を作成する設定がなされた時には、１０分毎の遊技情報を用いてその間の遊技情報を補完するようなデータ処理を行ってビジュアル画像表示情報を作成してもよい。
【００２６】
【発明の効果】
以上説明したように、請求項１〜４に記載の遊技情報表示装置を用いれば、特定の遊技情報の変化に伴った遊技情報の推移を、容易に把握することができる。
【図面の簡単な説明】
【図１】本発明の遊技場情報表示装置の一実施の形態の概略図である。
【図２】遊技関連情報の遊技機情報を説明する図である。
【図３】遊技関連情報の遊技者情報を説明する図である。
【図４】遊技情報の特定のパラメータの変化に伴った推移を動画表示する際の設定の手順を説明する図である。
【図５】各遊技機の稼動状態の推移（パラメータ；時間）の動画表示例である。
【図６】各遊技機の稼動状態の推移（パラメータ；時間）を動画表示する処理手順を示すフローチャート図である。
【図７】年代別遊技者の推移（パラメータ；時間）の動画表示例である。
【図８】各遊技機の所定時間内の特賞回数の推移（パラメータ；時間）の動画表示例である。
【図９】会員の遊技機利用状況の推移（パラメータ；時間）の動画表示例である。
【図１０】遊技機の所定時間内の特賞回数の推移（パラメータ；特賞回数）の動画表示例である。
【符号の説明】
１０    管理装置
１２    本体部
１４    表示手段
２０    島管理ユニット
２２    遊技機管理ユニット
３０    遊技機表示装置
４０    台端末装置
５０    遊技機
６０    表示端末装置